(57)【要約】【課題】タッチボタンを操作して芯を回転できるようにしたシャープペンシルを提供する。【解決手段】軸筒１内に保持体３３を設ける。保持体に、メカ本体１９を組み込んだ回転筒１８を回転可能に取り付ける。保持体の外周に、前後方向に移動可能にスライド体４６を設け、軸筒に設けたタッチボタン４０によりスライド体４６を移動させる。保持体内にはスライド体により前方に移動されかつ周方向に回転するスリーブ５４が収納されている。スリーブの前端面と回転筒の後端面には、回転送りギア３２，５７を設けてあり、スリーブの移動によりギアをかみ合わせて回転筒を回転し、芯を回転する。【選択図】図１
2014058097.tif 000002
【特許請求の範囲】
【請求項１】
軸筒と、軸筒内に設けられ内部に芯タンク、チャック、チャックリング及びチャックばねを含むメカ本体を組み込んだ回転筒と、該回転筒の後退動を阻止しつつ回転可能に回転筒を保持する保持体と、軸筒内に前後方向に移動可能に設けられ後方に付勢されたスライド体と、軸筒の外周から上記スライド体を移動できるよう設けたタッチボタンと、該スライド体が前進するとき該スライド体により回転筒の後端に向けて前進するよう上記保持体内に組み込んだスリーブを具備し、上記スリーブと保持体間にスリーブが移動する際該スリーブを回転させる回転カム機構を設け、スリーブの前端面と回転筒の後端面にスリーブが移動した際かみ合う回転送りギアを設けたことを特徴とするシャープペンシル。
【請求項２】
上記回転カム機構は略平行四辺形状のガイド窓と、制御突起で構成されている請求項１に記載のシャープペンシル。
【請求項３】
上記回転筒と保持体間には、回転筒の回転方向を規制する戻り防止機構が設けられている請求項１又は２に記載のシャープペンシル。
【請求項４】
上記戻り防止機構は、回転筒に設けた戻り防止ツメと保持体に設けた戻り防止用ギア面で構成されている請求項３に記載のシャープペンシル。
【請求項５】
上記回転筒とスリーブ間には該スリーブを後方に付勢するリターンばねが設けられている請求項１から４のいずれかに記載のシャープペンシル。
【請求項６】
上記リターンばねの前面には回転筒の後端に摺接する前端滑りリングが設けられ、リターンばねの後面にはスリーブに固着した後端滑りリングが設けられている請求項５に記載のシャープペンシル。
【請求項７】
上記タッチボタンは保持体に設けた支持片に連結され、該支持片の先端部とスライド体には、タッチボタンを押圧した際、スライド体を前進させるよう傾斜面が設けられている請求項１に記載のシャープペンシル。
【発明の詳細な説明】
【技術分野】
【０００１】
本発明は、筆記によって摩耗した芯の先端を回転できるようにした芯回転可能なシャープペンシルに関するものである。
【背景技術】
【０００２】
筆記に伴って芯の先端が摩耗すると、線が太くなるので、芯を回転することにより鋭利な芯の状態に回復できるようにした芯回転機構を有するシャープペンシルが知られている。芯回転機構は、種々の構成が知られている。例えば筆記圧を利用した機構(例えば特許文献１参照)では、軸筒の先端に設けたテーパー部材からスライダーの先端を突出し、筆記時にスライダーの先端を後退させ、この後退動によりギアを介して芯を回転させるよう構成されている。しかし、この機構の場合、筆記圧の有無により芯の摩耗の状態によらず芯は勝手に回転する。例えば、直線による図形を連続して書いているとき、芯が摩耗していなくても芯の先端を紙面から上げれば芯は回転する。このような場合、途中で筆記先端を上げると、直線の太さが途中から変化してしまう。文字を書く場合は、文字の長さごとに回転するため、線の太さが安定しない。このように、筆記圧に基づき芯を回転させる構成では、使用している者の意思と関係なく芯の先端が回転し、好ましくない場合がある。その上、筆記時の動作を利用してギアを回転させる機構のため、スライダーの先端がテーパー部材の内方に潜り込む現象が生じ、使用しにくいことがあった。
【０００３】
サイドノック式シャープペンシルにおいて、サイドノックボタンを押して芯を回転させる機構も知られている(例えば特許文献２参照)。特許文献２に記載のシャープペンシルは、ノック駒を押して、スライダーを移動し、このスライダーで芯タンクを移動し、さらに芯タンクで摺動子を移動し、この摺動子により回転子を回転させる。そして、この回転子の回転により芯タンク及び芯タンクに固定されているチャック体を回転させる機構である。このように、特許文献２に記載のシャープペンシルは、構造が複雑で、部品点数も多く、経済的に得にくい。
【先行技術文献】
【特許文献】
【０００４】
【特許文献１】特許第４２４０４１７号公報（特許請求の範囲、図面）
【特許文献２】特許第３８５２１７２号公報（特許請求の範囲、図面）
【発明の概要】
【発明が解決しようとする課題】
【０００５】
本発明の解決課題は、芯の先端が摩耗したとき、筆記具を回転させたり、持ち替えたりせず、自分の意思で芯を回転させることができ、また筆記具の先端がテーパー部材内に潜り込むことがないシャープペンシルを提供することである。
【課題を解決するための手段】
【０００６】
本発明によれば、軸筒と、軸筒内に設けられ内部に芯タンク、チャック、チャックリング及びチャックばねを含むメカ本体を組み込んだ回転筒と、該回転筒の後退動を阻止しつつ回転可能に回転筒を保持する保持体と、軸筒内に前後方向に移動可能に設けられ後方に付勢されたスライド体と、軸筒の外周から上記スライド体を移動できるよう設けたタッチボタンと、該スライド体が前進するとき該スライド体により回転筒の後端に向けて前進するよう上記保持体内に組み込んだスリーブを具備し、上記スリーブと保持体間にスリーブが移動する際該スリーブを回転させる回転カム機構を設け、スリーブの前端面と回転筒の後端面にスリーブが移動した際かみ合う回転送りギアを設けたことを特徴とするシャープペンシルが提供され、上記課題が解決される。
【０００７】
また、本発明によれば、上記回転筒と保持体間には、回転筒の回転方向を規制する戻り防止機構が設けられ、上記回転筒とスリーブ間には該スリーブを後方に付勢するリターンばねが設けられている上記シャープペンシルが提供される。さらに、該リターンばねの前面には回転筒の後端に摺接する前端滑りリングが設けられ、リターンばねの後面にはスリーブに固着した後端滑りリングが設けられている上記シャープペンシルが提供される。
【発明の効果】
【０００８】
本発明は上記のように構成され、軸筒と、軸筒内に設けられ内部に芯タンク、チャック、チャックリング及びチャックばねを含むメカ本体を組み込んだ回転筒と、該回転筒の後退動を阻止しつつ回転可能に回転筒を保持する保持体と、軸筒内に前後方向に移動可能に設けられ後方に付勢されたスライド体と、軸筒の外周から上記スライド体を移動できるよう設けたタッチボタンと、該スライド体が前進するとき該スライド体により回転筒の後端に向けて前進するよう上記保持体内に組み込んだスリーブを具備し、上記スリーブと保持体間にスリーブが移動する際該スリーブを回転させる回転カム機構を設け、スリーブの前端面と回転筒の後端面にスリーブが移動した際かみ合う回転送りギアを設けたから、筆記の際は、回転筒の後退動が阻止されているので、通常のシャープペンシルと同様に使用することができる。筆記に伴って芯の先端が摩耗して太くなってきたら、タッチボタンを押せばよい。このタッチボタンの操作によりスライド本体が前進し、スライド本体に押されてスリーブが前進する。前進したスリーブは前端面の回転送りギアが回転筒の後端面の回転送りギアにかみ合うとともに保持体との間に設けた回転カム機構により回転する。その結果、回転筒が回転するので、回転筒に組み込まれているメカ本体が回転し、芯が回転する。タッチボタンの押圧を止めれば、スライド体はリターンばねにより後退し、芯の回転は止まる。このようにして使用者の意思通りに芯を回転させることができる。その上、筆圧により移動する部材がないので、従来のように先端がテーパー部材内に潜り込むおそれもない。
【０００９】
また、上記回転筒と保持体の間に戻り防止機構を設ければ、芯の回転方向を規制して常に芯の先端が鋭角の状態になる方向に芯を回転させることができる。リターンスプリングの前後に先端滑りリングと後端滑りリングを設ければ、回転筒が回転するときリターンスプリングが回転の支障になることはなく、円滑に回転する。
【図面の簡単な説明】
【００１０】
【図１】本発明の一実施例を示す断面図。
【図２】前部軸筒を示し（Ａ）は断面図、（Ｂ）は正面図、（Ｃ）は取付孔に沿った断面図。
【図３】後部軸筒を示し（Ａ）は平面図、（Ｂ）は正面図、（Ｃ）は断面図、(Ｄ)は左面図。
【図４】回転筒を示し、（Ａ）は平面図、（Ｂ）は正面図、（Ｃ）は断面図、(Ｄ)は右面図。
【図５】保持体を示し、（Ａ）は平面図、（Ｂ）は正面図、(Ｃ)は左側面図、(Ｄ)は右面図、(Ｅ)は断面図。
【図６】スライド体を示し、（Ａ）は平面図、（Ｂ）は正面図、(Ｃ)は左側面図、(Ｄ)は右面図、(Ｅ)は断面図。
【図７】スリーブを示し、（Ａ）は平面図、（Ｂ）は正面図、（Ｃ）は断面図、(Ｄ)は左面図。
【図８】前端滑りリングを示し、（Ａ）は側面図、（Ｂ）は断面図。
【図９】後端滑りリングを示し、（Ａ）は正面図、（Ｂ）は断面図、（Ｃ）は左側面図。
【図１０】回転筒を保持体に組み込んだ状態の説明図。
【図１１】保持体の一部を切り取った状態の説明図。
【図１２】戻り防止機構部分を示す断面図。
【図１３】タッチボタンを操作したときの回転送りギアと回転カム機構の関係を示し、（Ａ）はタッチボタンを押していない定位置、（Ｂ）はタッチボタンを押してスリーブが前進を始めた位置、（Ｃ）はスリーブが最も回転した位置、(Ｄ)はタッチボタンの操作を停止してスリーブが後退し始める位置を示す各説明図。
【発明を実施するための形態】
【００１１】
図１を参照し、軸筒１は、筒状の前部軸筒２と該前部軸筒２に接続される後部軸筒３を有し、前部軸筒２にはテーパー部材４が接続されている。テーパー部材４は芯(図示略)を突出させる芯挿通孔５を有し、内方には、段部６と芯を摩擦的に保持する芯保持部７が設けられている。前部軸筒２は、図２に示すように、上記テーパー部材４を接続するための小径部８を先端に有し、小径部８の先部にはフランジ９が形成されている。前部軸筒２の内部にはストッパーリブ１０と、軸方向に延びるガイドリブ１１が形成され、壁面には取付孔１２が形成され、後端開口部の内面には係合部１３が設けられている。後部軸筒３は、図３に示すように、上記前部軸筒２の後端開口部に嵌合される嵌合部１４が前部に形成されている。この嵌合部１４の外周には、上記前部軸筒の係合部１３に係合する係合部１５が形成されている。また、嵌合部１４の先部には、前方に延びる支柱１６と、上記ガイドリブ１１の後端に接続可能な差込溝１７が形成され、前部軸筒２に後部軸筒３を接続する際に上記支柱１６の位置決めをできるようにしている。
【００１２】
上記軸筒１内には回転筒１８が回転可能に収納されている。該回転筒１８の先端は上記前部軸筒２の小径部８内に挿入され、先端がフランジ９に当接している。該回転筒１８内には、メカ本体１９が組み込まれている。該メカ本体１９は、芯を収納する芯タンク２０、芯タンク２０の先端に接続され芯を握持するチャック２１、該チャック２１の開閉を制御するようチャック２１の外周に嵌着したチャックリング２２、芯タンク２０を後方に付勢するチャックばね２３を含み、芯タンクの後端には消しゴム２４が取り付けられている。該回転筒１８は、図４に示すように、チャック２１及びチャックリング２２が挿入され先部２５の内面に、チャックばね２２の一端を支持する段部２６が設けられ、該チャックばね２２の後端は芯タンク２０に当接している。また、中間部には軸方向に延び弾性的に軸径方向に移動可能な中間弾性片２７が形成され、この中間弾性片２７の先端には外方に突出する抜け止めツメ２８が設けられている。中間弾性片２７の後方には周方向に延び弾性的に軸径方向に移動可能なる外周弾性片２９が形成され、該外周弾性片２９の先端には戻り防止ツメ３０が設けられている。回転筒１８の後端部の手前は径大部３１に形成され、この径大部３１の後端面には軸方向に延びる面と周方向に傾斜する面で略鋸歯状に形成された回転送りギア３２が設けられている。
【００１３】
上記軸筒１内には、回転筒１８の後退動を阻止しつつ回転可能に保持する保持体３３が設けられている。該保持体３３は、図５に示すように、筒状部３４と、筒状部３４から肩部３５を介して一側面が開放され略半円弧状に形成されたガイド片３６が形成されている。筒状部３４の外面の両側には、前方に延び弾性的に起伏可能な支持片３７が対向状態に突設されている。該支持片３７の前端を結んでいる先端部３８の側面には、後記するように押圧用の傾斜面３９が形成され、先端部３８の外面にはタッチボタン４０を取り付けるための取付孔４１が形成されている。タッチボタン４０は、前部軸筒２の取付孔１２を通して外方に出没可能に突出する。筒状部３４の内面には、回転方向に傾斜する傾斜面と該傾斜面の基端から立ち上がる起立面を有する略鋸歯状の凹凸面で構成した戻り防止用のギア面４２が形成されており、該ギア面４２に上記回転筒１８の戻り防止ツメ３０が係合している。この構成により、回転筒が一方に回転するときツメはギア面の傾斜面を乗り越えて回転を許容し、回転筒を反対方向に回転させるときは起立面に係合して回転を阻止する戻り防止機構が構成される。筒状部３４の外面には係止突起４３が突設されている。ガイド片３６には上記前部軸筒２のガイドリブ１１に挿入されるガイド溝４４が形成され、周面には周方向に延び前後方向に傾斜する略平行四辺形状のカム窓４５が形成されている。該保持体３３は、前端に形成した上記係止突起４３を前部軸筒２のストッパーリブ１０の後端に当接し、ガイド片３６の後端を後部軸筒３の支柱１６で押さえることにより軸筒１内に固定される。所望により保持体３３は軸筒１と一体的に構成することもできる。上記回転筒１８は、保持体３３の後方から上記筒状部３４に挿入され、保持体の筒状部３４の先端を回転筒１８の抜け止めツメ２８に当接し、回転筒１８の径大部３１を筒状部３４の肩部３５に当接させることにより後方に後退せずに回転可能に保持体３３に保持される。
【００１４】
上記軸筒１内には前後方向に移動可能にスライド体４６が設けられている。スライド体４６は、図６に示すように、上記保持体３３を受け入れるよう一側が開放した略半円弧状に形成され、外周には上記前部軸筒２のガイドリブ１１に摺動可能に嵌合するガイド溝４７が形成されている。該スライド体４６の前部には、回転筒１８を挿入できるよう間隔を開けて対向する前部壁４８が設けられ、該前部壁４８には上記保持体３３の先端部に形成した傾斜面３９と摺接する傾斜面４９が形成されている。スライド体４６の中間部には、上記保持体３３の係止突起４３を貫通させるための長孔５０と、前部軸筒２のストッパーリブ１０に入り込むガイド溝５１が形成され、該長孔５０の長さはスライド体４６が十分に軸方向に移動できる長さである。スライド体４６の後部には、芯タンク２０及び後部軸筒３の支柱１６を挿入できるよう間隔を開けて対向する後部壁５２が設けられ、該後部壁５２の前面には当接面５３が形成されている。
【００１５】
上記保持体３３の内方にはスリーブ５４が組み込まれている。該スリーブ５４はスライド体４６が前進するとき、スライド体４６の当接面５３に押されて回転筒１８の後端に向けて前進するよう移動可能に組み込まれている。図７を参照し、スリーブ５４は、筒状に形成され、後部に取付孔５５を有し、外面には上記保持体３３のガイド窓４５に入り込む略平行四辺形状の制御突起５６が形成されている。また、スリーブ５４の前端面には回転送りギア５７が設けられている。該回転送りギア５７は軸方向の延びる面と周方向に傾斜する面で略鋸歯状に形成され、上記回転筒１８の回転送りギア３２とかみ合ったとき、回転筒１８を回転させることができる。
【００１６】
上記回転筒１８とスリーブ５４間には、該スリーブ５４を後方に付勢するようリターンばね５８が設けられており、このリターンばね５８によりスライド体４６も後部軸筒３の嵌合部１４の前端に当接する位置まで後方に付勢されている。このリターンばね５８の前面は、回転筒１８の後端に摺接する前端滑りリング５９(図８参照)の受部内に保持されている。また、リターンばね５８の後面は、後端滑りリング６０(図９参照)の受部内に保持されている。該後端滑りリング６０は、上記スリーブ５４の後端に挿入して固着できるよう外周面に上記スリーブに形成した取付孔５５に係合する係合ツメ６１を有し、後面には上記スライド体４６の当接面５３と当接する当接面６２が形成されてる。
【００１７】
組立に際しては、メカ本体１９や前端滑りリング５９、リターンばね５８、後端滑りリング６０等を組み込んだ回転筒１８を保持体３３の後方から挿入し、スライド体４６を保持体３３に組み込んで前部軸筒２内に挿入し、後部軸筒３を前部軸筒２に接続すればよい。このようにすれば、図１０、図１１に示すように、保持体３３の周囲にスライド体４６が嵌着し、保持体３３内には回転筒１８が組み込まれ、スリーブ５４の制御突起５６が保持体３３のガイド窓４５にはめ込まれた回転カム機構が形成される。また、回転筒１８とスリーブ５４の回転送りギア３２、５７が対向した状態に組み立てられる。また、図１２に示すように回転筒１８の戻り防止ツメ３０が保持体３３の戻り防止用ギア面４２に噛み合い、戻り防止機構が構成される。そして、軸筒１の外面からタッチボタン４０を挿入し、その差込端を保持体３３の支持片３７の先端部３８に係合させる。
【００１８】
本発明のシャープペンシルの動作を説明すると、筆記状態では、図１に示すように、通常のノック式シャープペンシルとして使用することができる。図１３は、回転カム機構を構成する制御突起５６及びガイド窓４５と、回転筒１８とスリーブ５４に設けた回転送りギア３２、５７の関係を示している。タッチボタン４０を操作していない状態では、(Ａ)図に示すように、回転送りギア３２、５７はかみ合っておらず、制御突起５６はガイド窓４５の後方端６３に位置している。この状態からタッチボタン４０を押すと、支持片３７の先端部３８の傾斜面３９がスライド体４６の傾斜面４９を押し、スライド体４６及びスライド体４６に当接しているスリーブ５４が前進する。その後、(Ｂ)図に示すように、制御突起５６はガイド窓４５に沿って前進位置に移動し、回転送りギア３２、５７がかみ合い始める。制御突起５６はガイド窓４５の前方縁６４に沿って移動するから、この前方縁６４の傾斜に案内されて、(Ｃ)図のように回転最大位置に向けて、ガイド窓４５の前進端６５方向に回転し、これによりギア３２、５７がかみ合いながらスリーブ５４を介して回転筒１８が回転し、結果として、芯が回転する。タッチボタン４０の押圧を止めれば、スリーブ５４はリターンばね５８により後退するから、(Ｄ)に示すようにスリーブ５４のギア５７は後退を始め、回転筒１８のギア３２から外れ、制御突起５６はガイド窓４５に沿って後退し、ガイド窓４５の後方縁６６に沿って最初の定位置の状態に戻る。なお、回転筒１８の回転方向は、図１２に示すように、戻し防止機構により制御されるので、タッチボタンを押したときに芯がもとの方向に回転することはない。なお、図１２の鎖線に示すように、タッチボタンが軸筒から突出する位置に戻るとき、回転筒１８はギア面４２の１山に相当する分回転した位置で静止し、この間に上記(Ａ)の定位置に戻る。
【００１９】
上記実施例においては、回転カム機構は略平行四辺形状のガイド窓と制御突起で構成したが、傾斜窓とピンで構成することもできる。また、ガイド窓をスリーブに設け、保持体に制御突起を設けるようにしてもよい。スライド体は、タッチボタンを軸径方向に押すことにより傾斜面を介して前進するように構成したが、スライド体を軸方向に前後に移動できるようにしてスライド体を直接的に前後方向に移動するようにしてもよい。
【符号の説明】
【００２０】
１    軸筒
２    前部軸筒
３    後部軸筒
１８  回転筒
１９  メカ本体
２０  芯タンク
３２、５７  回転送りギア
３３  保持体
４０  タッチボタン
４２  戻り防止ギア面
４５  カム窓
４６  スライド体
５４  スリーブ
５６  制御突起
５８  リターンばね
【図１】
2014058097.tif 000003
【図２】
2014058097.tif 000004
【図３】
2014058097.tif 000005
【図４】
2014058097.tif 000006
【図５】
2014058097.tif 000007
【図６】
2014058097.tif 000008
【図７】
2014058097.tif 000009
【図８】
2014058097.tif 000010
【図９】
2014058097.tif 000011
【図１０】
2014058097.tif 000012
【図１１】
2014058097.tif 000013
【図１２】
2014058097.tif 000014
【図１３】
2014058097.tif 000015
【手続補正書】
【提出日】平成24年10月22日(2012.10.22)
【手続補正１】
【補正対象書類名】明細書
【補正対象項目名】００１５
【補正方法】変更
【補正の内容】
【００１５】
上記保持体３３の内方にはスリーブ５４が組み込まれている。該スリーブ５４はスライド体４６が前進するとき、スライド体４６の当接面５３に押されて回転筒１８の後端に向けて前進するよう移動可能に組み込まれている。図７を参照し、スリーブ５４は、筒状に形成され、後部に取付孔５５を有し、外面には上記保持体３３のガイド窓４５に入り込む略平行四辺形状の制御突起５６が形成されている。また、スリーブ５４の前端面には回転送りギア５７が設けられている。該回転送りギア５７は軸方向に延びる面と周方向に傾斜する面で略鋸歯状に形成され、上記回転筒１８の回転送りギア３２とかみ合ったとき、回転筒１８を回転させることができる。
【手続補正２】
【補正対象書類名】明細書
【補正対象項目名】００１６
【補正方法】変更
【補正の内容】
【００１６】
上記回転筒１８とスリーブ５４間には、該スリーブ５４を後方に付勢するようリターンばね５８が設けられており、このリターンばね５８によりスライド体４６も後部軸筒３の嵌合部１４の前端に当接する位置まで後方に付勢されている。このリターンばね５８の前面は、回転筒１８の後端に摺接する前端滑りリング５９(図８参照)の受部内に保持されている。また、リターンばね５８の後面は、後端滑りリング６０(図９参照)の受部内に保持されている。該後端滑りリング６０は、上記スリーブ５４の後端に挿入して固着できるよう外周面に上記スリーブに形成した取付孔５５の孔縁に係合する係合ツメ６１を有し、後面には上記スライド体４６の当接面５３と当接する当接面６２が形成されている。
【手続補正３】
【補正対象書類名】図面
【補正対象項目名】図１
【補正方法】変更
【補正の内容】
【図１】
2014058097.tif 000016
【手続補正書】
【提出日】平成24年10月23日(2012.10.23)
【手続補正１】
【補正対象書類名】明細書
【補正対象項目名】０００６
【補正方法】変更
【補正の内容】
【０００６】
本発明によれば、軸筒と、軸筒内に設けられ内部に芯タンク、チャック、チャックリング及びチャックばねを含むメカ本体を組み込んだ回転筒と、該回転筒を回転可能に保持する保持体と、軸筒内に前後方向に移動可能に設けられ後方に付勢されたスライド体と、軸筒の外周から上記スライド体を移動できるよう設けたタッチボタンと、該スライド体が前進するとき該スライド体により回転筒の後端に向けて前進するよう上記保持体内に組み込んだスリーブを具備し、上記スリーブと保持体間にスリーブが移動する際該スリーブを回転させる回転カム機構を設け、スリーブの前端面と回転筒の後端面にスリーブが移動した際かみ合う回転送りギアを設けたことを特徴とするシャープペンシルが提供され、上記課題が解決される。
【手続補正２】
【補正対象書類名】明細書
【補正対象項目名】０００８
【補正方法】変更
【補正の内容】
【０００８】
本発明は上記のように構成され、軸筒と、軸筒内に設けられ内部に芯タンク、チャック、チャックリング及びチャックばねを含むメカ本体を組み込んだ回転筒と、該回転筒を回転可能に保持する保持体と、軸筒内に前後方向に移動可能に設けられ後方に付勢されたスライド体と、軸筒の外周から上記スライド体を移動できるよう設けたタッチボタンと、該スライド体が前進するとき該スライド体により回転筒の後端に向けて前進するよう上記保持体内に組み込んだスリーブを具備し、上記スリーブと保持体間にスリーブが移動する際該スリーブを回転させる回転カム機構を設け、スリーブの前端面と回転筒の後端面にスリーブが移動した際かみ合う回転送りギアを設けたから、筆記の際は、回転筒の後退動が阻止されているので、通常のシャープペンシルと同様に使用することができる。筆記に伴って芯の先端が摩耗して太くなってきたら、タッチボタンを押せばよい。このタッチボタンの操作によりスライド本体が前進し、スライド本体に押されてスリーブが前進する。前進したスリーブは前端面の回転送りギアが回転筒の後端面の回転送りギアにかみ合うとともに保持体との間に設けた回転カム機構により回転する。その結果、回転筒が回転するので、回転筒に組み込まれているメカ本体が回転し、芯が回転する。タッチボタンの押圧を止めれば、スライド体はリターンばねにより後退し、芯の回転は止まる。このようにして使用者の意思通りに芯を回転させることができる。その上、筆圧により移動する部材がないので、従来のように先端がテーパー部材内に潜り込むおそれもない。
【手続補正３】
【補正対象書類名】明細書
【補正対象項目名】００１２
【補正方法】変更
【補正の内容】
【００１２】
上記軸筒１内には回転筒１８が回転可能に収納されている。該回転筒１８の先端は上記前部軸筒２の小径部８内に挿入され、先端がフランジ９に当接している。該回転筒１８内には、メカ本体１９が組み込まれている。該メカ本体１９は、芯を収納する芯タンク２０、芯タンク２０の先端に接続され芯を握持するチャック２１、該チャック２１の開閉を制御するようチャック２１の外周に嵌着したチャックリング２２、芯タンク２０を後方に付勢するチャックばね２３を含み、芯タンクの後端には消しゴム２４が取り付けられている。該回転筒１８は、図４に示すように、チャック２１及びチャックリング２２が挿入され先部２５の内面に、チャックばね２３の一端を支持する段部２６が設けられ、該チャックばね２３の後端は芯タンク２０に当接している。また、中間部には軸方向に延び弾性的に軸径方向に移動可能な中間弾性片２７が形成され、この中間弾性片２７の先端には外方に突出する抜け止めツメ２８が設けられている。中間弾性片２７の後方には周方向に延び弾性的に軸径方向に移動可能なる外周弾性片２９が形成され、該外周弾性片２９の先端には戻り防止ツメ３０が設けられている。回転筒１８の後端部の手前は径大部３１に形成され、この径大部３１の後端面には軸方向に延びる面と周方向に傾斜する面で略鋸歯状に形成された回転送りギア３２が設けられている。
【手続補正４】
【補正対象書類名】明細書
【補正対象項目名】００１３
【補正方法】変更
【補正の内容】
【００１３】
上記軸筒１内には、回転筒１８の後退動を阻止しつつ回転可能に保持する保持体３３が設けられている。該保持体３３は、図５に示すように、筒状部３４と、筒状部３４から肩部３５を介して一側面が開放され略半円弧状に形成されたガイド片３６が形成されている。筒状部３４の外面の両側には、前方に延び弾性的に起伏可能な支持片３７が対向状態に突設されている。該支持片３７の前端を結んでいる先端部３８の側面には、後記するように押圧用の傾斜面３９が形成され、先端部３８の外面にはタッチボタン４０を取り付けるための取付孔４１が形成されている。タッチボタン４０は、前部軸筒２の取付孔１２を通して外方に出没可能に突出する。筒状部３４の内面には、回転方向に傾斜する傾斜面と該傾斜面の基端から立ち上がる起立面を有する略鋸歯状の凹凸面で構成した戻り防止用のギア面４２が形成されており、該ギア面４２に上記回転筒１８の戻り防止ツメ３０が係合している。この構成により、回転筒が一方に回転するときツメはギア面の傾斜面を乗り越えて回転を許容し、回転筒を反対方向に回転させるときは起立面に係合して回転を阻止する戻り防止機構が構成される。筒状部３４の外面には係止突起４３が突設されている。ガイド片３６には上記前部軸筒２のガイドリブ１１に挿入されるガイド溝４４が形成され、周面には周方向に延び前後方向に傾斜する略平行四辺形状のカム窓４５が形成されている。該保持体３３は、前端に形成した上記係止突起４３を前部軸筒２のストッパーリブ１０の後端に当接し、ガイド片３６の後端を後部軸筒３の支柱１６で押さえることにより軸筒１内に固定される。所望により保持体３３は軸筒１と一体的に構成することもできる。上記回転筒１８は、保持体３３の後方から上記筒状部３４に挿入され、保持体の筒状部３４の先端を回転筒１８の抜け止めツメ２８に当接し、回転筒１８の径大部３１を筒状部３４の肩部３５に当接させることにより回転可能に保持体３３に保持される。
【手続補正５】
【補正対象書類名】特許請求の範囲
【補正対象項目名】請求項１
【補正方法】変更
【補正の内容】
【請求項１】
軸筒と、軸筒内に設けられ内部に芯タンク、チャック、チャックリング及びチャックばねを含むメカ本体を組み込んだ回転筒と、該回転筒を回転可能に保持する保持体と、軸筒内に前後方向に移動可能に設けられ後方に付勢されたスライド体と、軸筒の外周から上記スライド体を移動できるよう設けたタッチボタンと、該スライド体が前進するとき該スライド体により回転筒の後端に向けて前進するよう上記保持体内に組み込んだスリーブを具備し、上記スリーブと保持体間にスリーブが移動する際該スリーブを回転させる回転カム機構を設け、スリーブの前端面と回転筒の後端面にスリーブが移動した際かみ合う回転送りギアを設けたことを特徴とするシャープペンシル。